(57)【要約】【課題】陳列品をハンガーに掛け、それをハンガーバーに吊り下げた際に、各ハンガーに記載されている説明等が互に隣接する商品同士のために重なり合って見られず、いちいち商品をハンガーバー上で移動しなければ確認出来なかった。このような商品のサイズ等の確認の手間を少なくすることを目的としたものでる。【解決手段】陳列品を展示するためのディスプレイ部材３と、ディスプレイ部材３上部にディスプレイ部材３に連続して設けた係止部材５とよりなり、係止部材５にはハンガー垂下用のフック状切込７を設けると共に、係止部材５側縁の耳部９には、垂直方向に折り曲げ線１０を設け、折り曲げ線１０の外側を陳列品の説明等を記載する表示部１１とし、前記折り曲げ線１０の位置において表示部がハンガー側部から窺知出来るよう山折りに折り曲げている。【選択図】図１
0003155106.tif 000002
【実用新案登録請求の範囲】
【請求項１】
１枚の台紙よりなるハンガーであって、陳列品を展示するためのディスプレイ部材と、ディスプレイ部材上部にディスプレイ部材に連続して設けた係止部材とよりなり、係止部材にはハンガー垂下用のフック状切込を設けると共に、係止部材側縁の耳部には、垂直方向に折り曲げ線を設け折り曲げ線の外側を陳列品の説明等を記載する表示部とし、前記折り曲げ線の位置において表示部がハンガー側部から窺知出来るよう山折りに折り曲げたことを特徴とするハンガー。
【請求項２】
係止部材に設けたフック状切込は、切込の開口を係止部材の側面に位置し倒Ｌ字形に上方に延びる形状としたことを特徴とする請求項１記載のハンガー。
【請求項３】
係止部材に設けたフック状切込は、切込の開口を係止部材の頂辺に位置し大略Ｕ字形に上方に延びる形状としたことを特徴とする請求項１記載のハンガー。
【請求項４】
係止部材の側縁の耳部に設けた折り曲げ線は、係止部材の１側又は両側のいずれかに設けられていることを特徴とする請求項１記載のハンガー。 
【考案の詳細な説明】
【技術分野】
【０００１】
本考案は、販売店が多数の商品を陳列展示し販売する際に使用するハンガーであって、そのハンガーにセットされている商品の概要を容易に顧客に知らせることを可能としたハンガーに関する。
【背景技術】
【０００２】
従来、靴下，肌着等の衣料などを店頭で販売する際は商品を袋に入れて積み上げ、或は商品を台紙に固定し台紙をスタンドに掛吊して並列するなどの手段が採用されていた。即ち、二三の例を上げると、販売品である水着を立体的に見せるということで、段ボール等からなる基板を立体的に折り曲げてそれに水着を被せ、基板上部の引掛部のフックをスタンド等に掛吊する（特許文献１）もの、或はフック部を形成した表裏面紙と一体の前後帯部に商品を係止しそれを折り畳んで商品上部を表裏面紙で挟持し、表裏面のフック部をスタンド等に係止する衣類の包装具（実用新案登録文献２）、更には、２つ折りにした側板片の間に商品を挟み、片側の側板片を切り抜いて引掛部材を作り、引掛部材をスタンド等に係止する紙製ハンガー（特許文献３）も知られているが、いずれも引掛部（特許文献１），フック部（特許文献２），側板片（特許文献３）等には製品の紹介，取扱い説明、品番等が書かれているものである。これら製品は、何れもフック部をスタンド等のハンガーバーに係止することで陳列させているので、例えば品番の異なる複数種の製品が吊り下げられているときは、いちいち商品を動かして商品紹介の記載面を窺知しなければならない。これでは商品を選択するのに時間と手間を要し、商品の販売にも良い影響は与えない。
【先行技術文献】
【特許文献】
【０００３】
【特許文献１】実開昭６２−２９１６３号公報
【特許文献２】実用新案登録第３０３８１３２号公報
【特許文献３】実用新案登録第３０７３０３４号公報
【考案の概要】
【考案が解決しようとする課題】
【０００４】
上記の点に鑑みて、本考案ハンガーは、被服等の商品をハンガーに掛け、それをハンガーバーに吊り下げた際に、ハンガーのそれぞれの商品ごとに記載されている商品説明等が互に隣接する商品同士のために重なり合って見ることが出来ず、いちいち商品をハンガーバー上で移動し、隣接する商品同士の間に間隙を生じさせなければその記載を確認することが出来ず、商品のサイズ等の確認に手間取っている。
【０００５】
本考案は、上記のような確認の手間を少なくすることを目的としたものであって、ハンガーの係止部材側縁の耳部に垂直方向に折り曲げ線を設け、折り曲げ線の外側を商品の説明等を記載する表示部とし、前記折り曲げ線の位置において表示部がハンガー側部から窺知出来るように山折りに折り曲げすることにより、前記係止部材をいちいちハンガーバー上でハンガーを移動させるようなことをせず、ハンガーの係止部材に設けられている表示部の記載をハンガーの側面位置から確認することを可能にしている。
【課題を解決するための手段】
【０００６】
請求項１記載の本考案は１枚の台紙よりなるハンガーであって、陳列品を展示するためのディスプレイ部材と、ディスプレイ部材上部にディスプレイ部材に連続して設けた係止部材とよりなり、係止部材にはハンガー垂下用のフック状切込を設けると共に、係止部材側縁の耳部には、垂直方向に折り曲げ線を設け折り曲げ線の外側を商品の説明等を記載する表示部とし、前記折り曲げ線の位置において表示部がハンガー側部から窺知出来るよう山折りに折り曲げている。
請求項２記載の本考案は、請求項１記載のハンガーにおいて、係止部材に設けたフック状切込は、切込の開口を係止部材の側面に位置し倒Ｌ字形に上方に延びる形状としている。
請求項３記載の本考案は、請求項１記載のハンガーにおいて、係止部材に設けたフック状切込は、切込の開口を係止部材の頂辺に位置し大略Ｕ字形に上方に延びる形状としている。
請求項４記載の本考案は、係止部材の側縁の耳部に設けた折り曲げ線は、係止部材の１側又は両側のいずれかに設けられている。
【考案の効果】
【０００７】
本考案ハンガーは、１枚の台紙よりなるハンガーであって、陳列品を展示するディスプレイ部材３とその上部に連続して設けた係止部材５とよりなっており、係止部材５の側縁の耳部９には垂直方向に折り曲げ線１０を設け、折り曲げ線１０の外側を商品の説明等を記載する表示部１１としている。そして、前記折り曲げ線１０を山折りに折り曲げたので、前記折り曲げ線１０の位置において表示部１１がハンガー側部から窺知出来る。そのため複数のハンガー１がハンガーバー４に密接して重なるように吊り下げられ、ハンガー１の係止部材５に記載されている品番や製品の大きさ、各種注意書きや、取扱いの説明などが見えない状態となっていても、係止部材５の耳部９に設けられた表示部は山折れにハンガー１の側面方向に向いて折り曲げられているため、特に重なり合って隣接するハンガー同士を離すようにする必要はなく、ハンガーバー４に吊り下げた状態のままハンガー１の側面位置からハンガー１の記載事項を読むことが出来、衣類の色や柄、大きさなどを選ぶ場合にハンガーバーから取り出さずに確認できる。
また、１枚の台紙からなり構造が簡単で重量が軽く、かさ張らない。更には、台紙が芯材としての役目も担っているため陳列中に被服の型崩れが生ずることを防止する効果も有する。
【図面の簡単な説明】
【０００８】
【図１】本考案ハンガーの第１の実施例において表示部を折り曲げない状態を示し、Ａは正面図、Ｂは右側面図。
【図２】本考案ハンガーの第１の実施例の係止部材を示し、Ａは表示部を折り曲げた状態の正面図、Ｂは同右側面図。
【図３】本考案ハンガーの第２の実施例において表示部を折り曲げない状態を示し、Ａは正面図、Ｂは右側面図。
【図４】本考案ハンガーの第２の実施例の係止部材を示し、Ａは表示部を折り曲げた状態の正面図、Ｂは同右側面図。
【考案を実施するための形態】
【０００９】
本考案を実施するための形態を図面と共に説明する。図１及び図２は第１の実施例を示す。
本考案ハンガー１は、厚紙，合成樹脂，段ボール紙等の１枚の基板２よりなり、基板２の下部には陳列すべき衣類等の形状に応じたディスプレイ部材３を、基板２の上部には、ハンガー１を陳列台のハンガーバー４に係止するための係止部材５をそれぞれ設けている。
【００１０】
図１，２に示す第１実施例のディスプレイ部材３は、Ｖネックのアンダーシャツ用としてディスプレイ部材３が構成されている。即ち、ディスプレイ部材３の頂辺６を水平方向に延長し水平部位にシャツの肩線を合わせてシャツ内にディスプレイ部材３を通し、適宜シャツを折り畳んで包装する。
【００１１】
ディスプレイ部材３と連続してその上部に係止部材５を設ける。係止部材５はディスプレイ部材３との間にフック状切込７を設けている。フック状切込７は正面視倒Ｌ字形をなし、係止部材５の一側縁から係止部材５の中央位置まで進入し先頭部８は中心線Ｌ−Ｌ上で止まっている。そしてハンガー１をハンガースタンド（図示せず）に掛止するときは、ハンガースタンドのハンガーバー４を前記先頭部８まで進入させることで安定してハンガー１をハンガースタンドに保持出来る。
【００１２】
係止部材５は基板２の一部よりなるものであるから、その表面に商標名，商品番号，使用上の注意など必要事項を表示してあるが、更に係止部材５の側縁の耳部９に垂直方向に折り曲げ線１０を設け折り曲げ線１０の外側を商品の説明等を記載する表示部１１とし、前記折り曲げ線の位置において表示部１１を山折りに折り曲げることにより，表示部１１がハンガー側面から窺知出来るようにしている。
上記において表示部１１の折り曲げは、折り曲げ線１０における山折れとするが、最も好ましいのは、折り曲げた表示部１１とハンガーバー４とが平行を保つような角度とするのが良く、この角度であると折り曲げた表示部１１の記載事項を読むのに最も好都合である。
【００１３】
図３及び図４に示す第２の実施例は、厚紙，合成樹脂，段ボール紙等の１枚の基板２よりなる点では第１の実施例と一致するが、ブリーフを陳列するためにディスプレイ部材３をブリーフの形にした点において相違し、ディスプレイ部材３に連続してその上部に係止部材５を設けた点は第１の実施例と同一である。ただディスプレイ部材３がブリーフの形をし、ブリーフのウエスト部の緊締帯が収まるようにディスプレイ部材３のウエスト部に凹陥部１２が設けられている。第２の実施例ではフック状切込７は係止部材５の上縁部１３から下方に延び大略Ｕ字状の切込の最奥の上昇した最奥部位１４はハンガー１の中心線Ｌ−Ｌ上に位置する。従って、第２実施例のハンガー１をハンガーバー４に係止するときは、ハンガー１の上縁部１３の切込の開口７ａからハンガーバー４を挿入することになる。
【００１４】
そして、第１の実施例と同様に係止部材５の側縁の耳部９に垂直方向に折り曲げ線１０を設け、折り曲げ線１０の外側を表示部１１とし、前記折り曲げ線の位置において表示部１１を山折りに折り曲げることにより，表示部１１がハンガー側面から窺知出来るようにしている。
上記表示部１１について、第１，第２実施例共に係止部材５の右側縁に設けた例について説明したが、左側縁に設けても更には両側に設けても差し支えない。
【産業上の利用可能性】
【００１５】
本考案は上記した如く、衣服等の商品の吊り下げ陳列販売に適用して効果を有するが、販売手段に限らず、在庫管理にも利用して充分効果を発揮できる。
【符号の説明】
【００１６】
１  ハンガー
２  台紙  
３  ディスプレイ部材
４  ハンガーバー
５  係止部材
６  頂辺
７  フック状切込
８  先頭部
９  耳部
１０  折り曲げ線
１１  表示部
１２  凹陥部
１３  上縁部
１４  最奥部位 
【図１】
0003155106.tif 000003
【図２】
0003155106.tif 000004
【図３】
0003155106.tif 000005
【図４】
0003155106.tif 000006